(57)【特許請求の範囲】
【請求項１】
ＦＲＰ製屋根板の取付装置であって、（イ）底部を有するＦＲＰ製屋根板の底部を受け入れ可能に当該底部の外表面形状と実質的に同じ形状の表面形状を有する第１の支持部材と、（ロ）該第１の支持部材を、そこに受け入れられる前記ＦＲＰ製屋根板の長手方向に対して実質的に直角で水平な方向に移動可能に支持する第２の支持部材と、（ハ）該第２の支持部材の前記移動を行う第２の支持部材移動機構と、（ニ）該第２の支持部材の上に固定され、該第２の支持部材移動機構をねじ機構を介して固定支持する固定部材とからなるＦＲＰ製屋根板取付装置。
【請求項２】
前記第１の支持部材の下面が当接する前記第２の支持部材の表面に、表面滑性に富む合成樹脂シートが貼着されている請求項１に記載のＦＲＰ製屋根板取付装置。
【請求項３】
前記第２の支持部材に、前記第２の支持部材移動機構が取り付けられ、前記第２の支持部材が、施工基盤に支持された複数本のジャッキに支持されている請求項１あるいは２に記載のＦＲＰ製屋根板取付装置。
【請求項４】
前記第１の支持部材の少なくとも前記表面が、木材で形成されている請求項１乃至３のいずれかに記載のＦＲＰ製屋根板取付装置。
【発明の詳細な説明】
【０００１】
【発明の属する技術分野】
本発明は、ＦＲＰ製屋根板取付装置に関する。更に詳しくは、従来から多用されている比較的剛直な屋根板、例えば、コンクリート製（プレキャストコンクリート製）屋根板を、比較的柔軟なＦＲＰ製屋根板、特に、ＣＦＲＰ製屋根板に架け替える際に用いられるＦＲＰ製屋根板取付装置に関する。
【０００２】
【従来の技術】
従来の比較的剛直な屋根板（以下、従来の版と云う）の新規な架設、あるいは、架け替え架設は、その機械的特性から、当該版を直接枕梁に乗せ、バール等を用いて架設位置を微調整することにより行われていた。
【０００３】
【発明が解決しようとする課題】
市販されている多くのＦＲＰ製屋根板（以下、ＦＲＰ製版と云う）は、その横断面形状がＶ字型形状を有しており、長辺方向の上部両側端が、正規の寸法より外側（プラス側）に開角していることが多い。また、その棟部には、耐火材が巻き込まれていることが多く、その場合は、前記開角によるものに加え、短辺方向における全体の累積誤差が増大される。
【０００４】
その反面、ＦＲＰ製版とその版棟部のジョイント寸法に逃げの余裕が無い場合が多く、その場合は、架設時の短辺方向での累積誤差を±６ｍｍ程度押さえないと、取付直し（コア穴明け直し）の問題が生じる。この問題を回避するため、架設後、ＦＲＰ製版が自立可能になるまで、仮受けさせるとともに、取付精度を確保できる架設手段が必要となる。
【０００５】
また、既設の版をＦＲＰ製版に取り替えるに際し、既存の枕梁に対する位置調整上の寸法が必要である。
【０００６】
また、更に、耐震改修の場合、ＦＲＰ製版の枕梁と既存の壁梁とを、グラウト、プレートおよびボルトを用いて接合する接合方法が採用されるが、接合部周辺のグラウトの強度が発現されるまで、架設されるＦＲＰ製版が振動等の影響を受けないように仮受けさせておく必要がある。
【０００７】
【課題を解決するための手段】
本発明は、ＦＲＰ製版の架設に際して生じる上記問題点を解決するＦＲＰ製屋根板取付装置の提供を目的とする。
【０００８】
この目的を達成する本発明に係るＦＲＰ製屋根板取付装置は、ＦＲＰ製屋根板の取付装置であって、（イ）底部を有するＦＲＰ製屋根板の底部を受け入れ可能に当該底部の外表面形状と実質的に同じ形状の表面形状を有する第１の支持部材と、（ロ）該第１の支持部材を、そこに受け入れられる前記ＦＲＰ製屋根板の長手方向に対して実質的に直角で水平な方向に移動可能に支持する第２の支持部材と、（ハ）該第２の支持部材の前記移動を行う第２の支持部材移動機構と、（ニ）該第２の支持部材の上に固定され、該第２の支持部材移動機構をねじ機構を介して固定支持する固定部材とからなる。
【０００９】
本発明において、前記第１の支持部材の下面が当接する前記第２の支持部材の表面に、表面滑性に富む合成樹脂シートが貼着されいることが好ましい。
【００１０】
本発明において、前記第２の支持部材に、前記第２の支持部材移動機構が取り付けられ、前記第２の支持部材が、施工基盤に支持された複数本のジャッキに支持されていることが好ましい。
【００１１】
本発明において、前記第１の支持部材の少なくとも前記表面が、木材で形成されていることが好ましい。
【００１２】
【発明の実施の形態】
図１は、本発明に係るＦＲＰ製屋根板取付装置の一実施例の図２におけるＡ１−Ａ１側断面図、図２は、図１におけるＡ２−Ａ２矢視図である。
【００１３】
図１および２において、ＦＲＰ製版取付装置１０は、ＦＲＰ製版１の底部２を受け入れ可能に当該底部２の外表面３の形状と実質的に同じ形状の表面形状を有する第１の支持部材（ＦＲＰ製版取付治具）１１と、第１の支持部材１１を、そこに受け入れられるＦＲＰ製版１の長手方向（長辺方向）Ｙに対して実質的に直角で水平な方向Ｘに移動可能に支持する第２の支持部材（中間支持部材）２１と、第２の支持部材２１の前記移動を行う第２の支持部材移動機構３１ａ、３１ｂと、第２の支持部材移動機構３１ａ、３１ｂを固定支持する固定部材４１ａ、４１ｂとからなる。
【００１４】
第１の支持部材１１は、基板１２と基板１２の両端に固定された側板１３ａ、１３ｂからなり、基板１２は、第２の支持部材２１の上面に移動自在に載置されている。第１の支持部材１１は、ＦＲＰ製版１を損傷させない目的で、木材を用いて形成されている。
【００１５】
第２の支持部材２１は、その平面がＴ字型形状の部材であり、その下面において、３本のジャッキ５１ａ、５１ｂ、５６により、上下動自在に支持されている。３本のジャッキ５１ａ、５１ｂ、５６は、屋根架設基盤６１上に、ジャッキベース５２ａ、５２ｂ、５７を介して立てられている。ジャッキ５１ａ、５１ｂ、５６は、ジャッキハンドル５３ａ、５３ｂ、５８を有する。
【００１６】
第２の支持部材移動機構３１ａ、３１ｂは、側板１３ａ、１３ｂに一端が固定され、固定部材４１ａ、４１ｂの貫通孔に挿通された押しボルト３２ａ、３２ｂと固定部材４１ａ、４１ｂの外側において押しボルト３２ａ、３２ｂに螺着され固定部材４１ａ、４１ｂに当接されたナット（図示省略）とで構成される。
【００１７】
固定部材４１ａ、４１ｂは、第２の支持部材２１の両端部において、その上面に固定されたブラケットからなる。
【００１８】
第１の支持部材１１の上面とＦＲＰ製版１の下面との間には、クッション材４、４ａ、４ｂが挿入されている。
【００１９】
第２の支持部材２１の上面には、表面滑性に富む合成樹脂シート３３が貼着されている。表面滑性に富む（摩擦係数の低い）合成樹脂シート３３として、ポリエチレンシートが使用されている。
【００２０】
図２において、第２の支持部材２１は、その上面に固定されたストッパー部材７１を有し、ストッパー部材７１とＦＲＰ製版１の短辺との間に、ライナー（クッション材）７２が挿入されている。ＦＲＰ製版１の枕梁から鼻先までに長さの寸法誤差が±１０ｍｍ程度あるため、ストッパー部材７１の位置は、正規寸法より２０ｍｍ程度外側にされているのが好ましい。
【００２１】
ジャッキ５１ａ、５２ｂの頂部には、第２の支持部材２１の位置をＦＲＰ製版１の長辺方向Ｙに調節し、ジャッキベースのセンターを割り出すための副止め機構８１が設けられている。
【００２２】
以上の構造からなるＦＲＰ製版取付装置と同じ構造のＦＲＰ製版取付装置が、図２に示されるＦＲＰ製版１の右側端部にも装備される。
【００２３】
ＦＲＰ製版１の架設施工手順：
予め屋根架設基盤６１上に、ジャッキベース５２ａ、５２ｂ、５７の芯墨出しを行い、その位置に、ジャッキ５１ａ、５１ｂ、５６をセットする。
【００２４】
第２の支持部材２１が、所定の高さにおいて水平になるように、レベルを用いて、ジャッキ５１ａ、５１ｂ、５６で調整する。この時点で、移動防止の単管パイプ５４、５５ａ、５５ｂ（図示省略）をジャッキ５１ａ、５１ｂ、５６に取付け固定する。
【００２５】
ＦＲＰ製版１の短辺方向Ｘについては、ＦＲＰ製版１の形状が、図１に示される通り、Ｖ字型形状の関係で、ＦＲＰ製版１の長辺上端部は、正規寸法よりプラス側に開いている事が多い。また、ＦＲＰ製版１の棟部には、耐火材が巻き込まれているため、レッカーで垂直に荷降ろししても、正規寸法より外側にセットされる。そのため、第１の支持部材２１は、予め２０ｍｍ程度外側にずれしておくのが好ましい。
【００２６】
この状態で、ＦＲＰ製版１を荷降ろしし、短辺方向Ｘ、長辺方向Ｙ、および、高さ方向Ｚを確保する。鼻先の版と版棟部のジョイントを仮止めした後、第２の支持部材移動機構３１ａおよび／または３１ｂの押しボルト３２ａおよび／または３２ｂに螺着されているナットを手動で回転させ、押しボルト３２ａおよび／または３２ｂを短辺方向Ｘに移動せしめ、ＦＲＰ製版１を所定の位置にセットする。ＦＲＰ製版１の位置が確定したら、接合部に別途用意されているプレートとボルトを取付け、そのプレート周りをグラウト材（無収縮モルタル）を用いてグラウトする。グラウトした後、グラウト材の強度が発現されるまでの間、ＦＲＰ製版１は、第１の支持部材１１上に載置されたままとされる。その後、ＦＲＰ製版１は、ＦＲＰ製版取付装置１が除去され、枕梁上に載置され、固定される。
【００２７】
【発明の効果】
本発明に係るＦＲＰ製屋根板取付装置を用いてＦＲＰ製屋根板を所定の位置に架設することにより、屋根板改修工事におけるＦＲＰ製屋根板への取り替え作業が手早く簡単にでき、ＦＲＰ製屋根板形状に起因するＦＲＰ製屋根板の短辺方向（横方向）の架設の際の累積誤差が容易に解消され、架設精度の確保ができ、また、グラウト材の強度発現までの間、ＦＲＰ製屋根板は振動等の悪影響を受けず、取付治具により位置を確保された。
【図面の簡単な説明】
【図１】本発明に係るＦＲＰ製屋根板取付装置の一実施例の図２におけるＡ１−Ａ１側断面図。
【図２】図１におけるＡ２−Ａ２矢視図である。
【符号の説明  】
１：ＦＲＰ製版
２：底部
３：外表面
４、４ａ、４ｂ：クッション材
１０：ＦＲＰ製版取付装置
１１：第１の支持部材（ＦＲＰ製版取付治具）
１２：基板
１３ａ、１３ｂ：側板
２１：第２の支持部材（中間支持部材）
３１ａ、３１ｂ：第２の支持部材移動機構
３２ａ、３２ｂ：押しボルト
３３：合成樹脂シート
４１ａ、４１ｂ：固定部材
５１ａ、５１ｂ：ジャッキ
５２ａ、５２ｂ：ジャッキベース
５３ａ、５３ｂ：ジャッキハンドル
５６：ジャッキ
５７：ジャッキベース
５８：ジャッキハンドル
６１：屋根架設基盤
７１：ストッパー部材
７２：クッション材
８１：副止め機構
【図１】
0004573222.tif 000002
【図２】
0004573222.tif 000003